【事件の表示】
　特願２００２−１５６８６８「カラーフィルターおよび液晶表示装置」拒絶査定不服審判事件〔平成１５年１２月　３日出願公開、特開２００３−３４４８４３〕について、次のとおり審決する。
【結　論】
　本件審判の請求は、成り立たない。
【理　由】
１　手続の経緯
　本願は、平成１４年５月３０日の出願であって、平成２０年６月１６日付けで手続補正がなされ、平成２１年３月１６日付けで拒絶査定がなされ、これに対し、同年４月２２日に拒絶査定不服審判が請求されたものである。　
　
２　本願発明
　本願の請求項に係る発明は、平成２０年６月１６日付けの手続補正によって補正された明細書及び図面の記載からみて、特許請求の範囲の請求項１ないし６に記載された事項によって特定されるものと認められるところ、請求項１に係る発明（以下「本願発明」という。）は、次のとおりのものである。
　
「　透明基板上に少なくとも着色層と保護膜層を有し、着色層が透過用領域と反射用領域からなるカラーフィルターであって、着色層の少なくとも一色は透過用領域と反射用領域が同一色材料からなり、反射用領域には透明領域を含むカラーフィルターが形成され、かつ透過用領域には樹脂からなる固定されたスペーサーが形成されていることを特徴とする液晶表示装置用カラーフィルター。」
　
３　刊行物の記載事項
（１）原査定の拒絶の理由に引用され、本願出願前に頒布された刊行物である特開２００１−１２５０９４号公報（以下「刊行物１」という。）には、図とともに次の事項が記載されている（下線は審決で付した。以下同じ。）。
　
ア　「【特許請求の範囲】
【請求項１】
光源からの光が背面から入射する背面側透明基板と、外光が入射する観察者側透明基板と、前記背面側透明基板と前記観察者側透明基板との間に挟持された液晶層とを有する液晶表示装置であって、前記背面側透明基板は、入射した前記外光を前記液晶層へ反射させる反射部と、前記光源からの光を前記液晶層へ透過させる開口部とを所定の面積比で有している
【請求項２】請求項１記載の液晶表示装置において、
前記背面側透明基板と前記観察者側透明基板のいずれか一方に、前記光源からの光及び前記入射した外光が透過するカラーフィルタが配置され
【請求項３】請求項２記載の液晶表示装置において、
前記開口部のカラーフィルタ材料の色再現範囲は、前記反射部のカラーフィルタ材料の色再現範囲と同等かそれより広いことを特徴とする液晶表示装置。
【請求項４】請求項２又は３に記載の液晶表示装置において、
前記反射部のカラーフィルタ材料の視感透過率は、前記開口部のカラーフィルタ材料の視感透過率と同等かそれより高いことを特徴とする液晶表示装置。
・・・
【請求項６】請求項３又は４に記載の液晶表示装置において、
前記反射部の前記カラーフィルタ材料の底面積は、前記開口部の前記カラーフィルタ材料の底面積と異なることを特徴とする液晶表示装置。
【請求項７】請求項６記載の液晶表示装置において、
前記反射部は、前記カラーフィルタ材料が形成されていない領域を有している
　
イ　「【００４９】次に、本発明の第４の実施の形態による液晶表示装置図７及び図８を用いて説明する。本実施の形態による液晶表示装置は、第２の実施の形態の対向基板４側のカラーフィルタ２６近傍の構成が異なっている点に特徴を有している。従って、第２の実施の形態と同一の作用機能を有する構成要素には同一の符号を付してその説明は省略する。図７は、液晶表示装置をその表示面に垂直な方向で切断した対向基板４のカラーフィルタ２６近傍の断面を示しており、第２の実施の形態における図３に対応している。図８は、対向基板４上に形成された複数のカラーフィルタ２６の一部をアレイ基板２側から見た状態を示している。
【００５０】図７及び図８に示すように、Ｒ、Ｇ、Ｂの各画素（ａ）〜（ｄ）には約０．１μｍの膜厚のＡｌ膜が反射板１２として形成されている。各反射板１２の中央部には各画素面積の２０％の大きさの開口部１３が形成されている。各画素（ａ）〜（ｄ）の反射板１２及び開口部１３上にカラーフィルタ２６が形成されている。画素（ａ）及び（ｄ）では、透過型液晶表示装置用の分光特性を備えた厚さ約１．１μｍの
Ｒ
【００５１】同様にして、画素（ｂ）には、透過型液晶表示装置用の分光特性を備えた厚さ約１．１μｍのＧ（緑）用カラーフィルタ材料２６Ｇ−１が反射板１２上の４箇所に直方体形状で形成されている。カラーフィルタ材料２６Ｇ−１の底面積は反射板１２の面積の約２５％である。画素（ｂ）の開口部１３上には、同じく透過型液晶表示装置用の分光特性を備えた厚さ１．１μｍのＧ用カラーフィルタ材料２６Ｇ−２が形成されている。カラーフィルタ材料２６Ｇ−１と２６Ｇ−２とは同時に同一の材料で形成されている。
【００５２】また、画素（ｃ）には、透過型液晶表示装置用の分光特性を備えた厚さ約１．１μｍのＢ（青）用カラーフィルタ材料２６Ｂ−１が反射板１２上の４箇所に直方体形状で形成されている。カラーフィルタ材料２６Ｂ−１の底面積は反射板１２の面積の約２５％である。画素（ｃ）の開口部１３上には、同じく透過型液晶表示装置用の分光特性を備えた厚さ１．１μｍのＢ用カラーフィルタ材料２６Ｂ−２が形成されている。カラーフィルタ材料２６Ｂ−１と２６Ｂ−２とは同時に同一の材料で形成されている。
これらカラーフィルタ２６は透明レジスト膜４６で埋め込まれており、平坦化された透明レジスト膜４６上には、厚さ約０．１５μｍのＩＴＯからなる共通電極２４が形成されている
【００５３】このように本実施の形態では、第３の実施の形態のように
反射部と開口部とで
同一のカラーフィルタ材料を用いて
【００５４】このような構成により、
入射した外光の反射光のうち、カラーフィルタ材料２６Ｒ−１、２６Ｇ−１、２６Ｂ−１中を透過して反射板１２で反射する反射光４２の割合が２５％となり、カラーフィルタ材料を透過せずに直接反射板１２で反射する反射光４４の割合が７５％でとなる
　
ウ　「【００５８】
【発明の効果】以上の通り、本発明によれば、光の利用効率を向上させ、また、
色再現範囲と透過率を向上させて高画質の画像を表示する反射型と透過型の両方の表示が可能な液晶表示装置を実現できる
　
エ　上記アないしウからみて、刊行物１には、
　「光源からの光が背面から入射する背面側透明基板と、外光が入射する観察者側透明基板と、前記背面側透明基板と前記観察者側透明基板との間に挟持された液晶層とを有し、前記背面側透明基板は、入射した前記外光を前記液晶層へ反射させる反射部と、前記光源からの光を前記液晶層へ透過させる開口部とを所定の面積比で有し、前記背面側透明基板と前記観察者側透明基板のいずれか一方に、前記光源からの光及び前記入射した外光が透過するカラーフィルタが配置され、前記反射部は、カラーフィルタ材料が形成されていない領域を有している液晶表示装置に用いられるカラーフィルタであって、前記反射部と前記開口部とで同一のカラーフィルタ材料を用い、入射した外光の反射光のうちカラーフィルタ材料２６Ｒ−１、２６Ｇ−１、２６Ｂ−１中を透過して反射板１２で反射する反射光の割合が２５％であり、カラーフィルタ材料を透過せずに直接反射板１２で反射する反射光の割合が７５％であり、これらカラーフィルタ２６は透明レジスト膜で埋め込まれており、平坦化された透明レジスト膜上にはＩＴＯからなる共通電極が形成されており、色再現範囲と透過率を向上させて高画質の画像を表示する反射型と透過型の両方の表示が可能な液晶表示装置を実現できる、液晶表示装置に用いられるカラーフィルタ。」　　
の発明（以下「引用発明」という。）が記載されていると認められる。
　
（２）同じく、特開平１１−７２６１３号公報（以下「刊行物２」という。）には、図とともに次の事項が記載されている。
　
「【００４３】本発明においては、固定されたスペーサーの形成はオーバーコート膜の形成の前後どちらでも構わない。特にスペーサーの剥がれを防止するためには、基板上に画素および固定されたスペーサーを配した後、オーバーコート膜を形成してなるカラーフィルターであることがより好ましい。オーバーコートに感光性をもたせた場合には、オーバーコートと固定されたスペーサーを同時に形成することも可能である。この場合、例えば全面のフラッシュ露光と固定されたスペーサー部分のパターン露光とを組み合わせた２重露光を行うことで達成できる。
固定されたスペーサーとは
液晶表示装置用基板の特定の場所に固定され、液晶表示装置を作製した際に対向基板との間隔を支える
【００４４】
固定されたスペーサーの形成される位置には制限はない
　
４　対比
　本願発明と引用発明とを対比する。
（１）引用発明は、「背面側透明基板は、入射した外光を液晶層へ反射させる反射部と、光源からの光を前記液晶層へ透過させる開口部とを所定の面積比で有し、背面側透明基板と観察者側透明基板のいずれか一方に、光源からの光及び入射した外光が透過するカラーフィルタが配置され」る「液晶表示装置に用いられるカラーフィルタ」であるから、引用発明は、本願発明の「透明基板上に」「着色層を有し」との事項、及び、「着色層が透過用領域と反射用領域からなるカラーフィルターであって」との事項を備えるとともに、引用発明の「液晶表示装置に用いられるカラーフィルタ」は、本願発明の「液晶表示装置用カラーフィルター」に相当する。
　
（２）本願明細書には、「透明
保護膜による平坦性
着色層上に保護膜層４を有する
　
（３）引用発明は、「反射部は、カラーフィルタ材料が形成されていない領域を有して」おり、「入射した外光の反射光のうち、カラーフィルタ材料２６Ｒ−１、２６Ｇ−１、２６Ｂ−１中を透過して反射板１２で反射する反射光の割合が２５％であり、カラーフィルタ材料を透過せずに直接反射板１２で反射する反射光の割合が７５％であ」るから、引用発明は、本願発明の「反射用領域には透明領域を含むカラーフィルターが形成され」との事項を備える。
　
（４）「着色層の少なくとも一色は透過用領域と反射用領域が同一色材料からな」ることの技術上の意義について、本願明細書には、「本発明のカラーフィルターによれば、透明基板２上に形成される
少なくとも一色の着色層については、透過用領域と反射用領域に同一色材料（６Ｒ）による着色層からなり
同一色材料とは膜の組成が同一であること
　
（５）上記（１）ないし（４）から、本願発明と引用発明とは、
「　透明基板上に少なくとも着色層と保護膜層を有し、着色層が透過用領域と反射用領域からなるカラーフィルターであって、着色層の少なくとも一色は透過用領域と反射用領域が同一色材料からなり、反射用領域には透明領域を含むカラーフィルターが形成されている、液晶表示装置用カラーフィルター。」
である点で一致し、本願発明は、「透過用領域には樹脂からなる固定されたスペーサーが形成されている」のに対し、引用発明は、そうであるかどうか不明である点（以下「相違点」という。）で相違するものと認められる。
　
５　判断
（１）上記相違点について検討する。
ア　上記３（２）によれば、刊行物２には、液晶表示装置用基板の特定の場所に固定され、液晶表示装置を作製した際に対向基板との間隔を支える固定されたスペーサについて、該
固定されたスペーサーの形成される位置には制限はない
　
イ　他方、「透過用領域には樹脂からなる固定されたスペーサーが形成されている」ことの技術上の意義について検討するに、本願明細書には、「
スペーサーの配置場所としては
カラーフィルターの遮光部に設けられるのが普通
遮光部がない場合や画素の重なりがあるために平坦性が十分でない場合は、画素領域にスペーサを設ける場合
反射領域には透明領域を含むために平坦性が悪い場合が多く、透過領域に設ける方がより好ましい
　
（２）そして、本願発明の奏する効果が、引用発明及び刊行物２に記載された事項から当業者が予測可能な域を超える程の格別顕著なものとは認められない。
　
（３）したがって、本願発明は、引用発明及び刊行物２に記載された事項に基づいて当業者が容易に発明をすることができたものである。
　
６　むすび　
　以上のとおり、本願発明は、刊行物１に記載された発明及び刊行物２に記載された事項に基づいて当業者が容易に発明をすることができたものであるから、特許法第２９条第２項の規定により特許を受けることができない。
　よって、結論のとおり審決する。